(57)【特許請求の範囲】
【請求項１】
洗い場排水の受入口が上部に設けられ、浴槽排水の流入口が側周面に設けられている略円筒形の受入室を有した排水トラップであって、
浴槽排水を該浴槽排水流入口から略接線方向に受け入れて該受入室内で旋回流を形成させ、流出口から流出させる排水トラップにおいて、
該受入室内に、該受入室と同軸状の円筒体又は円柱体が設けられており、
該受入室の内周面と、該円筒体又は円柱体の外周面との間が環状水路となっており、
該環状水路と前記洗い場排水受入口とは、該環状水路の上方で連通していることを特徴とする排水トラップ。
【請求項２】
請求項１において、前記受入室内に、前記円筒体として、上部及び下部が開放した円筒体が設けられていることを特徴とする排水トラップ。
【請求項３】
請求項２において、前記受入室の下部の側周面に、前記流出口に連通した開口が設けられており、
前記円筒体の下端と前記受入室の底面との間に間隙が空いていることを特徴とする排水トラップ。
【請求項４】
洗い場排水の受入口が上部に設けられ、浴槽排水の流入口が側周面に設けられている略円筒形の受入室を有した排水トラップであって、
浴槽排水を該浴槽排水流入口から略接線方向に受け入れて該受入室内で旋回流を形成させ、流出口から流出させる排水トラップにおいて、
該受入室内に、該受入室と同軸状の円筒体が設けられており、
該円筒体は、上部が封じられ、下部が開放したものであり、
前記受入室の底部に、前記流出口に連通した開口が設けられ、
該開口の縁部から、封水形成用の筒体が該円筒体内にまで立設されていることを特徴とする排水トラップ。
【請求項５】
請求項１ないし４のいずれか１項において、前記受入室の上部にヘアキャッチャーが設置されていることを特徴とする排水トラップ。
【請求項６】
請求項５において、前記円筒体又は円柱体は、該ヘアキャッチャーの下側に連なっていることを特徴とする排水トラップ。
【請求項７】
請求項６において、該ヘアキャッチャーは、上面が開放しており、且つ底面及び側周面に透孔を有したカゴ状のものであり、
前記円筒体として、上端が該ヘアキャッチャーの底面に連なり、下端が開放した円筒体が設けられており、
該ヘアキャッチャーの底面の前記透孔を介して該ヘアキャッチャー内と円筒体内とが連通しており、
該円筒体は、該下端が前記受入室の底面から離隔していることを特徴とする排水トラップ。
【発明の詳細な説明】
【技術分野】
【０００１】
本発明は、浴室の洗い場に設けられる排水トラップに係り、特に浴槽排水を受け入れてトラップ内に旋回流を形成させるよう構成された排水トラップに関する。
【背景技術】
【０００２】
洗い場排水を受け入れる洗い場排水受入口が上部に設けられていると共に、浴槽排水を側周面から受入室内に受け入れて該受入室内に旋回流を形成させるようにした排水トラップが特許第３８８６０５５号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【０００３】
この特許第３８８６０５５号の排水トラップにあっては、受入室は略円筒形である。受入室内で旋回流を形成している水は、受入室の周壁の下部から側方へ流出するよう構成されている。
【特許文献１】特許第３８８６０５５号
【発明の開示】
【発明が解決しようとする課題】
【０００４】
上記旋回流形成方式の排水トラップにおいて、浴槽の水位が低い場合など、浴槽排水の排水トラップへの流入流速が小さいときには、旋回流速が小さくなったり、受入室内の水位上昇が緩慢となり、ヘアキャッチャーや排水枡の洗浄等が不十分になるおそれがある。
【０００５】
本発明は、このように排水流量が少ない場合でも、旋回流形成方式の排水トラップの受入室内の水位が速やかに上昇すると共に、旋回流の旋回流速が大きくなり、これによりゴミがヘアキャッチャーの中心に効率よく集められると共に、ヘアキャッチャー等の浄化作用も強くなるようにした排水トラップを提供することを目的とする。
【課題を解決するための手段】
【０００６】
請求項１の排水トラップは、洗い場排水の受入口が上部に設けられ、浴槽排水の流入口が側周面に設けられている略円筒形の受入室を有した排水トラップであって、浴槽排水を該浴槽排水流入口から略接線方向に受け入れて該受入室内で旋回流を形成させ、流出口から流出させる排水トラップにおいて、該受入室内に、該受入室と同軸状の円筒体又は円柱体が設けられており、該受入室の内周面と、該円筒体又は円柱体の外周面との間が環状水路となっており、該環状水路と前記洗い場排水受入口とは、該環状水路の上方で連通していることを特徴とするものである。
【０００７】
請求項２の排水トラップは、請求項１において、前記受入室内に、前記円筒体として、上部及び下部が開放した円筒体が設けられていることを特徴とするものである。
【０００８】
請求項３の排水トラップは、請求項２において、前記受入室の下部の側周面に、前記流出口に連通した開口が設けられており、前記円筒体の下端と前記受入室の底面との間に間隙が空いていることを特徴とするものである。
【０００９】
請求項４の排水トラップは、洗い場排水の受入口が上部に設けられ、浴槽排水の流入口が側周面に設けられている略円筒形の受入室を有した排水トラップであって、浴槽排水を該浴槽排水流入口から略接線方向に受け入れて該受入室内で旋回流を形成させ、流出口から流出させる排水トラップにおいて、該受入室内に、該受入室と同軸状の円筒体が設けられており、該円筒体は、上部が封じられ、下部が開放したものであり、前記受入室の底部に、前記流出口に連通した開口が設けられ、該開口の縁部から、封水形成用の筒体が該円筒体内にまで立設されていることを特徴とするものである。
【００１０】
請求項５の排水トラップは、請求項１ないし４のいずれか１項において、前記受入室の上部にヘアキャッチャーが設置されていることを特徴とするものである。
【００１１】
請求項６の排水トラップは、請求項５において、前記円筒体又は円柱体は、該ヘアキャッチャーの下側に連なっていることを特徴とするものである。
【００１２】
請求項７の排水トラップは、請求項６において、該ヘアキャッチャーは、上面が開放しており、且つ底面及び側周面に透孔を有したカゴ状のものであり、前記円筒体として、上端が該ヘアキャッチャーの底面に連なり、下端が開放した円筒体が設けられており、該ヘアキャッチャーの底面の前記透孔を介して該ヘアキャッチャー内と円筒体内とが連通しており、該円筒体は、該下端が前記受入室の底面から離隔していることを特徴とするものである。
【発明の効果】
【００１３】
本発明（請求項１〜７）の排水トラップは、洗い場排水と浴槽排水とを受け入れる旋回流形成方式の排水トラップにおいて、受入室内に該受入室と同軸状に円筒体又は円柱体を設けたものである。
【００１４】
このように円筒体又は円柱体を設けたことにより、流入口から受入室内に浴槽排水が流入してきた場合、受入室内で直ちに旋回を開始し、この受入室の内周面と円筒体又は円柱体の外周面との間の環状水路の水位が速やかに上昇する。また、この環状水路内を水が旋回するところから、受入室内の全体で水が旋回する場合に比べて旋回流速が大きなものとなる。これにより、ゴミがヘアキャッチャーの中心に効率よく集められると共に、ヘアキャッチャー等の浄化作用も強くなる。
【００１５】
請求項２の排水トラップにあっては、受入室内で旋回して渦状となった水が円筒体の内部を旋回しながら流れ落ちて流入口へ達するようになるので、排水流量を多くすることができる。また、ヘアキャッチャーの中央部にゴミが集められ易くなる。
【００１６】
請求項３の排水トラップにあっては、このように円筒体内を旋回しながら流れる水の遠心力の作用により、円筒体内の水が円筒体の下側の間隙からスムーズに流出するようになる。
【００１７】
請求項４の排水トラップにあっては、水が流れていない場合、受入室内に筒体の上端レベルを封水面とした封水が溜まる。円筒体の下部がこの封水中に没することにより、排水トラップよりも下流側の排水管内と浴槽及び浴室側とが遮断される。
【００１８】
請求項５の排水トラップにあっては、浴槽排水が受入室内に流入し、受入室内の水位が上昇して旋回流が形成されると、ヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【００１９】
請求項６の排水トラップにあっては、円筒体又は円柱体は、このヘアキャッチャーに連なっている。このように構成したことにより、円筒体又は円柱体とヘアキャッチャーとを一体に取り扱うことができ、これらの着脱作業や清掃作業などを容易に行うことができる。
【００２０】
請求項７の態様にあっては、円筒体の上端がヘアキャッチャーの底面に連なっているので、ヘアキャッチャー内で旋回流が形成され、その渦の中心から水が円筒体に流れ落ちる際に、この水は、ヘアキャッチャーから円筒体と受入室の内周面との間の環状流路には殆ど又は全く拡散せず、ほぼ全量が円筒体内に流入するようになる。そのため、円筒体内に強力な旋回流が形成され、排水流量が増大する。
【発明を実施するための最良の形態】
【００２１】
以下、本発明の実施の形態を図面に基づいて説明する。
【００２２】
第１図は、実施の形態に係る浴室排水装置を備えた浴室の概略斜視図であり、第２図は排水トラップ付近の斜視図、第３図は排水トラップ及び排水枡の縦断面図、第４図は第３図のIV−IV線断面図である。
【００２３】
第１図の通り、浴室１の洗い場パン２の浴槽３側に排水枡４が一体形成されている。この排水枡４の下側に排水トラップ１０が連結されている。排水トラップ１０の側面の流入口１１と浴槽３の底面の排水口３ａとが、配管５を介して接続されている。
【００２４】
また、排水トラップ１０の上面部には、洗い場２側からの排水が排水枡４を通り流入する洗い場排水受入口Ａ（第２図）が設けられている。排水トラップ１０の流入口１１とほぼ反対側の側面の流出口１２には、排水管６が接続されている。
【００２５】
なお、この実施の形態では、排水トラップ１０の上部の側周面の導入口１３には、浴槽３の側壁に設けられている追焚循環口から漏れる水を受け止める追焚循環口受けトレー７からの排水が配管８を介して流入する。ただし、配管８及び導入口１３は省略され、浴槽排水と洗い場排水のみを受け入れるよう構成してもよい。
【００２６】
第３図に示すように、排水枡４は洗い場パン２と一体状に凹み状に形成されており、その上面には排水目皿９が覆設されている。
【００２７】
排水枡６の底側にはフランジ部材１５がパッキン１６を介して取り付けられ、このフランジ部材１５にネジ込み方式により、排水トラップ１０の上端が取り付けられている。フランジ部材１５を通して排水トラップ１０内に上方から着脱可能にヘアキャッチャー１７が差し込まれている。このヘアキャッチャー１７は、上面が開いたカゴ（篭）状である。
【００２８】
この実施の形態では、ヘアキャッチャー１７は下方側へ向かって縮径する略逆円錐台形状を有する。ヘアキャッチャー１７は、その下端が排水トラップ１０内の封水面Ｗよりも若干（例えば１０ｍｍ以下程度）上方に位置するようにフランジ部材１５に支持されている。なお、ヘアキャッチャー１７は、排水トラップ１０内に形成される旋回流によって上方に押されても浮き上がらないようにフランジ部材１５に係止部（符号略）によって係止されている。符号１７ａは、ヘアキャッチャー１７の着脱時に指等で摘むための摘み部を示している。
【００２９】
排水トラップ１０の下部のうち前記浴槽排水の流入口１１と反対側は、側方へ膨出した膨出部２０となっている。この膨出部２０と、ヘアキャッチャー１７の下側領域とは円弧状に湾曲した縦板状の遮蔽部材２１によって区画されている。これにより、ヘアキャッチャー１７を囲む部分及びその下方は、略円筒状の受入室２２となっている。遮蔽部材２１の下端は、排水トラップ１０の底面から若干（例えば５〜３０ｍｍ）上方に離隔しており、この遮蔽部材２１の下側に開口２３が形成されている。受入室２２内の水は、この開口２３を通って膨出部２０へ流出可能となっている。
【００３０】
なお、この実施の形態では、遮蔽部材２１が排水トラップ１０の本体部分とは別体の板状体を取り付けた構成となっているが、遮蔽部材２１は排水トラップ１０と一体に、排水トラップ１０の天井側から垂設されるよう成形されてもよい。
【００３１】
上記流入口１１は、この受入室２２の底面からヘアキャッチャー１７の下端よりも高い位置まで縦方向に延びる縦長状に形成されている。なお、浴槽排水流入口１１は、受入室２２の内周面の接線方向を指向している。
【００３２】
この浴槽排水流入口１１は、排水トラップ１０の外側へ突出しており、この突出した部分に前記配管５が接続されている。
【００３３】
受入室２２内には、筒軸心方向を上下方向とした円筒体２４が設置されている。この円筒体２４の外周面と受入室２２の内周面との間が環状水路２５となっている。円筒体２４の下端からは複数個の脚部２４ａが突設され、各脚部２４ａが受入室２２の底面に当接している。なお、図示は省略するが、受入室２２の底面には、この脚部２４ａの下端が嵌合する凸条などの保持部が設けられている。これにより、円筒体２４は受入室２２内に受入室２２と略同軸状に、位置ズレしないように、且つ着脱可能に据え付けられる。この円筒体２４の下端と受入室２２の底面との間には、脚部２４ａの高さ分だけ間隙があいている。
【００３４】
排水トラップ１０の前記膨出部２０の膨出方向の先端側に前記流出口１２が設けられている。膨出部２０内の底面のうち、遮蔽部材２１と流出口１２との中間付近から封水壁２７が立設されており、この封水壁２７の上端が封水面Ｗとされている。
【００３５】
このように構成された浴室排水装置の作動について次に説明する。
【００３６】
水を張った浴槽３の排水口３ａの排水栓を抜くと、浴槽３内の浴槽水の一部が配管５及び流入口１１から排水トラップ１０の受入室２２内に流入し、環状水路２５内で旋回流を形成する。受入室２２内の水位は次第に上昇し、ヘアキャッチャー１７あるいはさらに排水枡４が旋回流に浸水した状態となる。これにより、排水枡４の内面やヘアキャッチャー１７に付着しているゴミや毛髪がこすり落とされて、ゴミや髪の毛は渦の中心に集められ、渦の中心から下方へ落下し、ヘアキャッチャー１７の下端の底面中央部に良好に集められる。
【００３７】
受入室２２内で旋回している水の一部は、遠心力の助勢を得て遮蔽部材２１の下側の開口２３を通って膨出部２０内に流出する。また、受入室２２内で旋回している水の一部は、渦の中心側に集まり、円筒体２４の内側を通って受入室２２内の底部に到り、膨出部２０へ流出する。膨出部２０内に流入した水は、封水壁２７を乗り越え、排水管６へ流出する。
【００３８】
この実施の形態では、このように受入室２２内に流入した水が環状水路２５を旋回することにより、円筒体２４を設けない場合に比べて受入室２２の内周面に沿う旋回流速が大きくなると共に、受入室２２の内周面に沿って水位が素早く上昇するようになる。従って、浴槽３からの排水流量が少ない場合でも、ヘアキャッチャー１７や排水枡４の内面の掃除効果が良いものとなる。さらに、この実施の形態では、渦を形成した水がヘアキャッチャー１７及び円筒体２４の軸心付近を通ることにより、ヘアキャッチャー１７内のゴミがヘアキャッチャー１７の中心付近に効率よく集められる。
【００３９】
浴槽３からすべての水が流出すると、旋回流は停止し、排水トラップ１０内には封水壁２７の上端のレベルの封水が残る。これにより、排水管６側と洗い場２及び浴槽３側とはいずれも封水によって隔絶されることになり、排水管６の臭気が洗い場２や浴槽３へ逆流することが防止される。
【００４０】
［円柱体を受入室２２内に設置した実施の形態］
第５，６図は、円筒体２４の代わりに円柱体２８を受入室２２内に設置した実施の形態に係る排水トラップ１０Ａを示すものであり、第５図は前記第３図と同様部分の縦断面図、第６図は第５図のVI−VI線断面図である。
【００４１】
円柱体２８は、円柱軸心方向を上下方向として、受入室２２内の下部中央に受入室２２と同軸状に設置されている。円柱体２８は、受入室２２の底部に設けられた係合部（図示略）に係合することにより、位置ズレしないように、また着脱可能に据え付けられている。
【００４２】
円柱体２８の外周面と受入室２２の内周面との間に環状水路２５が形成されている。
【００４３】
円柱体２８の上端面は封水面Ｗよりも下位となっている。
【００４４】
この排水トラップ１０Ａのその他の構成は、第１〜３図の排水トラップ１０と同一であり、同一符号は同一部分を示している。
【００４５】
この排水トラップ１０Ａにおいても、水を張った浴槽３の排水口３ａの排水栓を抜くと、浴槽３内の浴槽水の一部が配管５及び流入口１１から排水トラップ１０Ａの受入室２２内に流入し、環状水路２５内で旋回流を形成する。受入室２２内の水位は次第に上昇し、ヘアキャッチャー１７あるいはさらに排水枡４が旋回流に浸水した状態となる。これにより、排水枡４の内面やヘアキャッチャーに付着しているゴミや毛髪がこすり落とされて、ゴミや髪の毛は渦の中心に集められ、渦の中心から下方へ落下し、ヘアキャッチャー１７の下端の底面中央部に良好に集められる。
【００４６】
受入室２２内で旋回している水の一部は、遠心力の助勢を得て遮蔽部材２１の下側の開口２３を通って膨出部２０内に流出し、次いで封水壁２７を乗り越え、排水管６へ流出する。
【００４７】
このように受入室２２内に流入した水が環状水路２５を旋回することにより、円柱体２８を設けない場合に比べて受入室２２の内周面に沿う旋回流速が大きくなると共に、受入室２２の内周面に沿って水位が素早く上昇するようになる。従って、浴槽３からの排水流量が少ない場合でも、ヘアキャッチャー１７や排水枡４の内面の掃除効果が良いものとなる。
【００４８】
［椀形円筒体を受入室内に設置した実施の形態］
第７図は椀形円筒体を受入室内に設置した排水トラップ３０の縦断面図、第８図はこの排水トラップの斜視図である。
【００４９】
図示は省略するが、この排水トラップ３０を備えた浴室１においても、洗い場パン２の浴槽３側に排水枡４が一体形成されている。この排水枡４に対し下側から排水トラップ３０が連結されている。
【００５０】
第８図に示すように、排水トラップ３０の側面の流入口３１と浴槽３の底面の排水口３ａ（図示略）とが配管５を介して接続されている。
【００５１】
また、排水トラップ３０の上面部には、洗い場２側からの排水が排水枡４を通り流入する洗い場排水受入口が設けられている。排水トラップ３０の流入口３１とほぼ反対側の側面の流出口３２には排水管６が接続されている。
【００５２】
排水枡の底側にはフランジ部材１５がパッキン（図示略）を介して取り付けられ、このフランジ部材１５にネジ込み方式により、排水トラップ３０の上端が取り付けられている。フランジ部材１５を通して排水トラップ３０内に上方から着脱可能にヘアキャッチャー１７が差し込まれている。
【００５３】
この実施の形態でも、ヘアキャッチャー１７は、その下端が排水トラップ３０内の封水面よりも若干上方に位置するようにフランジ部材１５に支持されている。なお、ヘアキャッチャー１７は、排水トラップ１０内に形成される旋回流によって上方に押されても浮き上がらないようにフランジ部材１５に係止部（符号略）によって係止されている。
【００５４】
排水トラップ３０の構成について次に詳細に説明する。
【００５５】
この排水トラップ３０は、筒軸心方向を上下方向とした円筒形のアッパーハウジング３３を備えており、このアッパーハウジング３３内が受入室３４となっている。
【００５６】
アッパーハウジング３３の底部に、円板状の底板３５が設けられ、この底板３５の中央に開口３６が設けられている。この開口３６の上縁から円筒形のトラップ筒３７が立設されている。このトラップ筒３７の上端レベルが封水レベルである。
【００５７】
トラップ筒３７に上方から被さるように円筒体３８が設置されている。円筒体３８の外周面とアッパーハウジング３３の内周面との間に所定の間隔があいており、両者の間が環状水路３９となっている。
【００５８】
円筒体３８は、下部が開放し、上部が天蓋部３８ａで封じられた有蓋無底形の椀形である。この天蓋部３８ａとトラップ筒３７の上端との間には、所定の通水間隔があいている。円筒体３８の内周面とトラップ筒３７の外周面との間にも、所定の通水間隔があいている。
【００５９】
円筒体３８の下端からは脚体（図示略）が立設され、この脚体が底板３４に当接している。これにより、円筒体３８の下端と底板３４との間には所定のスペースがあいている。なお、図示は省略するが、底板３５には、円筒体３８の横ズレを防止するための凸条等の位置決め部が突設されている。
【００６０】
アッパーハウジング３３の下側にロワーハウジング４０が一体的に設けられており、このロワーハウジング４０内が流出室４１となっている。この流出室４１は開口３６を介して受入室３４内と連通している。
【００６１】
ロワーハウジング４０は、アッパーハウジング３３の下側から側方へ延出しており、この延出方向の先端側が開放して前記流出口３２となっている。
【００６２】
水を張った浴槽３の排水口３ａの排水栓を抜くと、浴槽３内の浴槽水の一部が配管５及び流入口３１から排水トラップ３０の受入室３４内に流入し、環状水路３９内で旋回流を形成する。受入室３４内の水位は次第に上昇し、ヘアキャッチャー１７あるいはさらに排水枡４が旋回流に浸水した状態となる。これにより、排水枡４の内面やヘアキャッチャーに付着しているゴミや毛髪がこすり落とされて、ゴミや髪の毛は渦の中心に集められ、渦の中心から下方へ落下し、ヘアキャッチャー１７の下端の底面中央部に良好に集められる。
【００６３】
環状水路３９内で旋回している水は、円筒体３８の下端を回り込み、円筒体３８とトラップ筒３７との間を上昇し、トラップ筒３７の上端を回り込み、トラップ筒３７内から開口３６を通って流出室４１に流入し、流出口３２から排水管６へ流出する。
【００６４】
このように受入室３４内に流入した水が環状水路３９を旋回することにより、受入室３４の内周面に沿う旋回流速が大きくなると共に、受入室３４の内周面に沿って水位が素早く上昇するようになる。従って、浴槽３からの排水流量が少ない場合でも、ヘアキャッチャー１７や排水枡４の内面の掃除効果が良いものとなる。
【００６５】
浴槽からすべての水が流出すると、旋回流は停止し、排水トラップ３０内にはトラップ筒３７の上端のレベルの封水が残る。これにより、排水管６側と洗い場２及び浴槽３側とはいずれも封水によって隔絶されることになり、排水管６の臭気が洗い場２や浴槽３へ逆流することが防止される。
【００６６】
第９図は異なる実施の形態に係る排水トラップの縦断面斜視図、第１０図は第９図において円筒体３８及びヘアキャッチャー１７を取り外した状態を示す図、第１１図は第９図のXI−XI線断面図である。
【００６７】
この実施の形態にあっては、アッパーハウジング３３の内周面に沿ってガイド板３３ａが設けられている。本実施の形態では、このガイド板３３ａは、流入口３１付近からアッパーハウジング３３の内周面を旋回方向下流側に向ってアッパーハウジング３３の内周面を約半周するように延設されている。このガイド板３３ａの旋回方向先端側（流入口３１側）のレベルは、流入口３１の下縁付近以下で且つ円筒体３８の下端のレベル以上となっている。ガイド板３３ａは、旋回方向下流側に向って上り勾配となるように設けられている。ガイド板３３ａの旋回方向末端側のレベルは、流入口３１の上縁付近となっている。ガイド板３３ａが旋回流を乱さないようにするために、ガイド板３３ａの旋回方向先端側と末端側のレベルの差が流入口３１の口径の０．５〜３倍、特に１〜２倍となるようにするのが好ましい。
【００６８】
ガイド板３３ａの幅（アッパーハウジング３３の半径方向の幅員）は、アッパーハウジング３３の内周面と円筒体３８の外周面との間隔の７０％以下、特に３０〜７０％程度が好ましい。
【００６９】
この排水トラップ３０Ａのその他の構成は第７図及び第８図の排水トラップと同様であり、同一符号は同一部分を示している。
【００７０】
このようにガイド板３３ａを設けた排水トラップ３０Ａにあっては、流入口３１からアッパーハウジング３３内に接線方向に流入した水が、アッパーハウジング３３の内周面に沿って主に上方へ広がるようにして流れるようになる。即ち、流入口３１からアッパーハウジング３３内に流入した水がアッパーハウジング３３の内周面に沿って下方へ広がることが防止ないし抑制され、流入口３１からの流入水が短絡的に円筒体３８の下端をくぐり抜けることが防止される。これにより、アッパーハウジング３３内の旋回流速が増大する。
【００７１】
なお、この実施の形態では、ガイド板３３ａは、アッパーハウジング３３の内周面を約半周するように延在しているが、ガイド板３３ａの周方向の長さはアッパーハウジング３３の周長の２０〜１００％程度であればよい。この場合のガイド板３３ａの旋回方向における上り勾配は、第９図〜第１１図の場合と同程度とするのが好ましい。
【００７２】
［円筒体をヘアキャッチャーに設けた実施の形態］
前述の第１〜４図及び第５，６図の各実施の形態では、円筒体２４及び円柱体２８は、それぞれ、受入室２２の底面に載置されているが、本発明においては、円筒体又は円柱体は、ヘアキャッチャーに連なったものであってもよい。
【００７３】
第１２図は、このように構成された排水トラップ１０’の縦断面図である。
【００７４】
この排水トラップ１０’は、前述の第１〜４図の実施の形態において、円筒体２４を受入室２２に底面に戴置する代わりに、該円筒体２４をヘアキャッチャー１７の下に吊り下げ状に連結した構成となっている。
【００７５】
即ち、この実施の形態では、円筒体２４は、ヘアキャッチャー１７の下側に、その筒軸心方向を上下方向として設置され、その上端が該ヘアキャッチャー１７の底面に連結されている。なお、円筒体２４の上端縁は、その全周にわたってヘアキャッチャー１７の底面に連なっている。このヘアキャッチャー１７内と円筒体２４内とは、該ヘアキャッチャー１７の底面の透孔（符号略）を介して連通している。円筒体２４の下端側は開放している。この円筒体２４の下端は、受入室２２内において、排水トラップ１０’内の封水面Ｗよりも下位に位置しており、且つ該受入室２２の底面から若干（５〜５０ｍｍ）離隔している。
【００７６】
この実施の形態では、円筒体２４の下端に、該円筒体２４を受入室２２の底面に支持するための脚部２４ａは設けられていない。
【００７７】
なお、この実施の形態では、円筒体２４はヘアキャッチャー１７と一体成形されたものとなっているが、円筒体２４とヘアキャッチャー１７とを別々に成形し、接着や溶着等の結合手段によりこれらを結合した構成であってもよい。また、円筒体２４は、ヘアキャッチャー１７に対し着脱可能に連結されてもよい。
【００７８】
この排水トラップ１０’のその他の構成は、第１〜４図の排水トラップ１０と同様であり、第１２図において第１〜４図と同一符号は同一部分を示している。
【００７９】
この排水トラップ１０’の作動も第１〜４図の排水トラップ１０と同様である。この排水トラップ１０’によっても、第１〜４図の排水トラップ１０と同様の作用効果が奏される。
【００８０】
この排水トラップ１０’にあっては、円筒体２４がヘアキャッチャー１７に連結されているので、ヘアキャッチャー１７を受入室２２の上部からを取り外すと、これと一緒に円筒体２４も受入室２２から引き出される。また、ヘアキャッチャー１７を受入室２２の上部に装着すると、これと一緒に円筒体２４も受入室２２内に配置される。即ち、この排水トラップ１０’にあっては、ヘアキャッチャー１７と円筒体２４とを一体に取り扱うことができ、これらの着脱作業や清掃作業などを容易に行うことができる。
【００８１】
また、この排水トラップ１０’にあっては、円筒体２４の上端がヘアキャッチャー１７の底面に連なっているので、ヘアキャッチャー１７内で旋回流が形成され、その渦の中心から水が円筒体２４に流れ落ちる際に、この水は、ヘアキャッチャー１７から円筒体２４と受入室２２の内周面との間の環状流路２５には殆ど又は全く拡散せず、ほぼ全量が円筒体２４内に流入するようになる。そのため、円筒体２４内に強力な旋回流が形成され、排水流量が増大する。
【００８２】
第１３図は、別の実施の形態に係る排水トラップ１０Ｂの縦断面斜視図、第１４図はこの排水トラップ１０Ｂのヘアキャッチャー１７Ａの斜視図、第１５図は第１４図のXV−XV線に沿う断面斜視図である。なお、以下の説明において、上下方向は、ヘアキャッチャー１７Ａが排水トラップ１０Ｂに装着された状態における上下方向と合致する。
【００８３】
この実施の形態でも、ヘアキャッチャー１７Ａは、上面が開いており、且つその側周面及び底面に多数の透孔（符号略）が設けられたカゴ（籠）状のものである。また、この実施の形態でも、該ヘアキャッチャー１７Ａは、下端側に向って縮径した略逆円錐台形状の外形を有している。
【００８４】
この実施の形態でも、ヘアキャッチャー１７Ａの底面から下方に向って円筒体５０が立設されている。この円筒体５０は、その筒軸方向を上下方向として該ヘアキャッチャー１７Ａと略同軸状に配置されている。第１３，１５図の通り、この円筒体５０は、その内周径がヘアキャッチャー１７Ａの底面の直径と略等しい大きさとなっており、その上縁が全周にわたって該ヘアキャッチャー１７Ａの底面の外周縁に連なっている。ヘアキャッチャー１７Ａ内は、その底面の透孔を介して円筒体５０内と連通している。この円筒体５０は、下端側が開放したものとなっている。
【００８５】
この実施の形態でも、ヘアキャッチャー１７Ａは、受入室２２内の軸心部付近に位置し、且つその底面が排水トラップ１０Ｂ内の封水面Ｗよりも若干（例えば１０ｍｍ以下程度）上方に位置するようにフランジ部材１５に支持されている。また、これにより、円筒体５０が受入室２２内に該受入室２２と同軸状に配置され、この円筒体５０の外周面と受入室２２の内周面との間に環状流路２５が形成されている。この円筒体５０の下端は、受入室２２内において、排水トラップ１０Ｂ内の封水面Ｗよりも下方に位置し、且つ該受入室２２の底面から所定距離（例えば５〜５０ｍｍ）上方へ離隔している。
【００８６】
なお、この実施の形態でも、円筒体５０はヘアキャッチャー１７Ａと一体成形されたものとなっているが、円筒体５０とヘアキャッチャー１７Ａとを別々に成形し、接着や溶着等の結合手段によりこれらを結合した構成であってもよい。また、円筒体５０は、ヘアキャッチャー１７Ａに対し着脱可能に連結されてもよい。
【００８７】
この実施の形態では、排水トラップ１０Ｂは、膨出部２０内が負圧となったときに封水切れが生じることを防止するために、該膨出部２０内と排水トラップ１０Ｂ外とを連通した連通部材６０を備えている。
【００８８】
詳しくは、この実施の形態では、排水トラップ１０Ｂ内を受入室２２と膨出部２０とに区画した遮蔽部材２１の上下方向の途中部に、該遮蔽部材２１を貫通した配管接続口２１ａが設けられている。連通部材６０は、膨出部２０内に配置され、一端側が配管接続口２１ａの該膨出部２０ａ側に接続された第１配管６１と、受入室２２内に配置され、一端側が配管接続口２１ａの該受入室２２側に接続された第２配管６２と、該第１配管６１の他端側に設けられた散気部材６３とを有している。
【００８９】
第１３図に示すように、該第１配管６１及び第２配管６２は、それぞれＬ字管よりなる。即ち、該第１配管６１は、その長手方向の途中から下方へ折れ曲がり、その下端側が膨出部２０内の封水面Ｗよりも下位に位置している。この第１配管６１の下端側は、下方に向って開いた椀形の膨大部６１ａとなっており、この膨大部６１ａの下面を覆うように散気部材６３が装着されている。この散気部材６３には、多数の小孔状の散気口６３ａが穿設されている。この散気部材６３は、膨出部２０内の底面から若干（例えば２〜３０ｍｍ）上方へ離隔している。
【００９０】
第２配管６２は、配管接続口２１ａに接続された前記一端付近から上方へ折れ曲がり、受入室２２の内周面に沿って上方へ延在している。第１３図に示すように、この第２配管６２の上端は、フランジ部材１５の上面よりも上位に位置している。即ち、この第２配管６２の上端側は、洗い場の排水枡４（図示略）内に延出している。
【００９１】
この実施の形態では、ヘアキャッチャー１７Ａに、この第２配管６２が挿通される筒部１７ｂが設けられている。この筒部１７ｂは、筒軸心方向を略鉛直方向として、ヘアキャッチャー１７Ａの内周面に沿って形成されている。なお、ヘアキャッチャー１７Ａの外周面は、下端側ほど縮径するテーパ面となっているので、筒部１７ｂは、そのヘアキャッチャー１７Ａ外周側がこのテーパ面に沿って斜めにカットされた如き形状となっている。そのため、この筒部１７ｂは、その下端からヘアキャッチャー１７Ａ外周側の側面の上端付近にかけて大きく開放したものとなっている。
【００９２】
この実施の形態では、該筒部１７ｂの上端側は、ヘアキャッチャー１７Ａの上面から上方へ突出している。第１３図の通り、このヘアキャッチャー１７Ａの上面からの筒部１７ｂの突出高さは、フランジ部材１５の上面からの第２配管６２の突出高さよりも若干（例えば５〜５０ｍｍ）高いものとなっている。
【００９３】
この筒部１７ｂの上端面は、覆蓋部１７ｃ（第１４，１５図）によって覆蓋されている。この覆蓋部１７ｃをヘアキャッチャー１７Ａ中心側と反対側へ延長するようにして、清掃作業者が指などで摘むための舌片状の摘み部１７ｄが形成されている。また、該覆蓋部１７ｃの上面には、清掃作業者が指などを引っ掛けるためのリング部１７ｅが形成されている。
【００９４】
この実施の形態では、該摘み部１７ｄの下面に沿って筒部１７ｂの側面を切り欠くようにして、該筒部１７ｂの内外を連通する通気口１７ｆが形成されている。
【００９５】
ヘアキャッチャー１７Ａを装着する場合には、第２配管６２を筒部１７ｂに差し込みつつ、ヘアキャッチャー１７Ａをフランジ部材１５の内側に嵌め込む。
【００９６】
このヘアキャッチャー１７Ａの通気孔１７ｆ及び筒部１７ｂ、並びに連通部材６０の第１配管６１、配管接続口２１ａ、第２配管６２及び散気口６３ａを介して膨出部２０内と排水トラップ１０Ｂ外（排水枡４内）とが連通している。
【００９７】
この実施の形態では、第１３図の通り、受入室２２の側面に、浴槽３（図示略）以外からの排水を該受入室２２に流入させるための流入口７０が設けられている。この流入口７０には、該流入口７０から受入室２２内へ水が流れ込むことは許容するが、受入室２２から該流入口７０に水が流れ込むことは阻止する逆止弁機能付きのキャップ（図示略）が装着されている。なお、この流入口７０は省略されてもよい。
【００９８】
この排水トラップ１０Ｂのその他の構成は、第１〜４図の排水トラップ１０と同様であり、第１３〜１５図において第１〜４図と同一符号は同一部分を示している。
【００９９】
この排水トラップ１０Ｂにあっても、水を張った浴槽３の排水口３ａの排水栓を抜くと、浴槽３内の浴槽水の一部が配管５及び流入口１１から排水トラップ１０Ｂの受入室２２内に流入し、環状水路２５内で旋回流を形成する。受入室２２内の水位は次第に上昇し、ヘアキャッチャー１７Ａあるいはさらに排水枡４が旋回流に浸水した状態となる。これにより、排水枡４の内面やヘアキャッチャー１７Ａに付着しているゴミや毛髪がこすり落とされて、ゴミや髪の毛は渦の中心に集められ、渦の中心から下方へ落下し、ヘアキャッチャー１７Ａの下端の底面中央部に良好に集められる。
【０１００】
受入室２２内で旋回している水の一部は、遠心力の助勢を得て遮蔽部材２１の下側の開口２３を通って膨出部２０内に流出する。また、受入室２２内で旋回している水の一部は、渦の中心側に集まり、円筒体５０の内側を通って受入室２２内の底部に到り、膨出部２０へ流出する。膨出部２０内に流入した水は、封水壁２７を乗り越え、排水管６へ流出する。
【０１０１】
この実施の形態では、このように受入室２２内に流入した水が環状水路２５を旋回することにより、円筒体５０を設けない場合に比べて受入室２２の内周面に沿う旋回流速が大きくなると共に、受入室２２の内周面に沿って水位が素早く上昇するようになる。従って、浴槽３からの排水流量が少ない場合でも、ヘアキャッチャー１７Ａや排水枡４の内面の掃除効果が良いものとなる。さらに、この実施の形態では、渦を形成した水がヘアキャッチャー１７Ａ及び円筒体５０の軸心付近を通ることにより、ヘアキャッチャー１７Ａ内のゴミがヘアキャッチャー１７Ａの中心付近に効率よく集められる。
【０１０２】
浴槽３からすべての水が流出すると、旋回流は停止し、排水トラップ１０Ｂ内には封水壁２７の上端のレベルの封水が残る。これにより、排水管６側と洗い場２及び浴槽３側とはいずれも封水によって隔絶されることになり、排水管６の臭気が洗い場２や浴槽３へ逆流することが防止される。
【０１０３】
この排水トラップ１０Ｂにあっても、円筒体５０がヘアキャッチャー１７Ａに連結されているので、前述の第１２図の排水トラップ１０’と同様に、ヘアキャッチャー１７Ａと円筒体５０とを一体に取り扱うことができ、これらの着脱作業や清掃作業などを容易に行うことができる。
【０１０４】
また、この排水トラップ１０Ｂにあっても、第１２図の排水トラップ１０’と同様、円筒体５０の上端がヘアキャッチャー１７Ａの底面に連なっているので、ヘアキャッチャー１７Ａ内で旋回流が形成され、その渦の中心から水が円筒体５０に流れ落ちる際に、この水は、ヘアキャッチャー１７Ａから円筒体５０と受入室２２の内周面との間の環状流路２５には殆ど又は全く拡散せず、ほぼ全量が円筒体５０内に流入するようになる。そのため、円筒体５０内に強力な旋回流が形成され、排水流量が増大する。
【０１０５】
この実施の形態では、膨出部２０内と排水トラップ１０Ｂ外とを連通する連通部材６０が設けられているので、該膨出部２０内に負圧が生じても、封水切れすることが防止される。
【０１０６】
第１６図はさらに別の実施の形態に係る排水トラップ１０Ｃの断面斜視図である。
【０１０７】
この実施の形態の排水トラップ１０Ｃも、前述の第１３図の排水トラップ１０Ｂと同様、底面に円筒体５０の上端が連結されたヘアキャッチャー１７Ａ’を備えている。
【０１０８】
なお、この実施の形態では、該ヘアキャッチャー１７Ａ’のうち、連通部材６０の第２配管６２が挿通された筒部１７ｂは、該ヘアキャッチャー１７Ａ’の上面から突出しておらず、その上端面はヘアキャッチャー１７Ａ’の上面と面一状となっている。即ち、この実施の形態では、筒部１７ｂの上端側に摘み部１７ｄやリング部１７ｅ等は設けられていない。この筒部１７ｂに挿通された第２配管６２の上端側は、該筒部１７ｂを突き抜けてヘアキャッチャー１７Ａ’の上面から上方へ突出し、排水枡４内に露呈している。
【０１０９】
この実施の形態では、円筒体５０は、ヘアキャッチャー１７Ａ’と別々に成形され、接着や溶着等の結合手段により該ヘアキャッチャー１７Ａ’に結合された構成となっている。なお、この実施の形態でも、円筒体５０とヘアキャッチャー１７Ａ’とは一体成形された構成であってもよい。また、円筒体５０は、ヘアキャッチャー１７Ａ’に対し着脱可能に連結されてもよい。
【０１１０】
なお、この排水トラップ１０Ｃにおいても、前述の排水トラップ１０Ｂと同様のヘアキャッチャー１７Ａを用いてもよい。
【０１１１】
この実施の形態では、排水トラップ１０Ｃと、浴槽排水用配管５と、該配管５を浴槽３（図示略）の排水口３ａに連結する連結部材８０とがユニット化された構成となっている。
【０１１２】
なお、第１図では図示を省略したが、浴室の床は浴槽パンと洗い場パン２とによって構成され、該浴槽パン上に浴槽３が設置されている。浴槽パンには、浴槽３の排水口３ａよりも大径の浴槽パン排水口が設けられている。浴槽３の排水口３ａは、この浴槽パン排水口の内側に露呈するように配置されている。
【０１１３】
連結部材８０は、浴槽パンの下側からこの浴槽パン排水口に重なる底面部８１と、該底面部８１の外周縁から上方へ立設された周壁部８２とを有した皿形のものとなっている。該周壁部８２の上縁外周には、浴槽パンの下面に重なるフランジ８３が周設されている。
【０１１４】
この連結部材８０の底面部８１から浴槽３の排水口３ａに向って円筒状の浴槽連結部８４が立設されている。浴槽連結部８４の上縁には、浴槽３の下面に重なるフランジ（符号略）が周設されている。
【０１１５】
該底面部８１の下側には、配管接続用ハウジング８５が連結部材８０と一体的に設けられており、浴槽連結部８４の内孔は底面部８１を貫通してこの配管接続用ハウジング８５内に連通している。この配管接続用ハウジング８５は、底面部８１の下面に沿って排水トラップ１０Ｃ側へ向って延在しており、その延在方向先端側に、浴槽排水用配管５の一端側が接続されている。なお、この浴槽排水用配管５の他端側は、前述の各実施の形態と同様、排水トラップ１０Ｃの浴槽排水流入口１１に接続されている。
【０１１６】
底面部８１のうち、該浴槽連結部８４と周壁部８２との間には、浴槽パン排水流出口８６が設けられている。この実施の形態では、浴槽排水用配管５に隣接して浴槽パン排水用配管９０が配設されており、この浴槽パン排水用配管９０の一端側が継手管８７を介して底面部８１の下側からこの浴槽パン排水流出口８６に接続されている。この浴槽パン排水用配管９０の他端側は、排水トラップ１０Ｃの受入室２２の側面に設けられた浴槽パン排水流入口９１に接続されている。
【０１１７】
浴槽排水用配管５及び浴槽パン排水用配管９０は、それぞれ途中でクランク状に湾曲し、その排水トラップ１０Ｃ側が連結部材８０側よりも上方に位置するように配設されている。
【０１１８】
前記浴槽パン排水口と浴槽排水口３ａとには、それぞれ、排水枡４に取り付けられたフランジ部材１５と同様の、環状のフランジ部材（図示略）がパッキン（図示略）を介して取り付けられている。浴槽パンの下側から浴槽パン排水口の周縁部にパッキン（図示略）を介して連結部材８０のフランジ８３が当接され、その内側の周壁部８２に該浴槽パン排水口のフランジ部材がネジ込まれることにより、連結部材８０が浴槽パン排水口の周縁部に連結されている。また、この浴槽パン排水口の内側において、浴槽３の下側から浴槽排水口３ａの周縁部にパッキン（図示略）を介して浴槽連結部８４のフランジが当接され、この浴槽連結部８４の内側に該浴槽排水口３ａのフランジ部材がネジ込まれることにより、浴槽連結部８４が浴槽排水口３４の周縁部に連結されている。
【０１１９】
この実施の形態では、受入室２２内に、浴槽パン排水流入口９１を開閉するためのドア９２が設置されている。このドア９２は、受入室２２の内周面に沿って湾曲している。このドア９２のうち、受入室２２内において形成される旋回流の上流側の端縁がヒンジ（図示略）を介して受入室２２の内周面に連結されている。ドア９２は、このヒンジを回動中心として受入室２２の内周面に対し接離方向に回動可能となっている。このヒンジには、ドア９２を受入室２２の内周面に接近させるように付勢するスプリング（図示略）が設けられている。
【０１２０】
このドア９２は、受入室２２内に旋回流が形成されていない状態において、浴槽パン排水用配管９０に浴槽パン排水が流入したときには、この浴槽パン排水の水圧により押し開けられて浴槽パン排水流入口９１を開放させる。また、受入室２２内に旋回流が形成されているときには、その水流圧により受入室２２の内周面に押し付けられて浴槽パン排水流入口９１を閉鎖し、受入室２２内の旋回流が浴槽パン排水流入口９１に流れ込むことを阻止する。
【０１２１】
この実施の形態では、受入室２２の底面に円板状の底板９３が設けられ、この底板９３の中央に開口９３ａが設けられている。この底板９３の下側は流出室９４となっており、受入室２２から該開口９３ａを通って流出室９４に流出した水は、この流出室９４を通って膨出部２０内に流れ込む。
【０１２２】
この実施の形態では、排水トラップ１０Ｃの流出口１２の底面は、その根元側（即ち膨出部２０側）ほど上位となるように傾斜しており、該流出口１２と膨出部２０との境界部付近が最上位部２７’となっている。この実施の形態では、排水トラップ１０Ｃ内には、この最上位部２７’のレベルまで封水が貯留される。
【０１２３】
この排水トラップ１０Ｃのその他の構成は、前述の第１３〜１５図の排水トラップ１０Ｂと同様であり、第１６図において第１３〜１５図と同一符号は同一部分を示している。
【０１２４】
この排水トラップ１０Ｃの作動も、受入室２２からその底部の開口９３ａを通って流出室９４に流出した水がこの流出室９４を通って膨出部２０内に流れ込むこと以外は、第１３〜１５図の排水トラップ１０Ｂと同様である。
【０１２５】
この排水トラップ１０Ｃにあっても、円筒体５０がヘアキャッチャー１７Ａ’に連結されているので、前述の排水トラップ１０’，１０Ｂと同様に、ヘアキャッチャー１７Ａ’と円筒体５０とを一体に取り扱うことができ、これらの着脱作業や清掃作業などを容易に行うことができる。
【０１２６】
また、この排水トラップ１０Ｃにあっても、前述の排水トラップ１０’，１０Ｂと同様、円筒体５０の上端がヘアキャッチャー１７Ａ’の底面に連なっているので、ヘアキャッチャー１７Ａ’内で旋回流が形成され、その渦の中心から水が円筒体５０に流れ落ちる際に、この水は、ヘアキャッチャー１７Ａ’から円筒体５０と受入室２２の内周面との間の環状流路２５には殆ど又は全く拡散せず、ほぼ全量が円筒体５０内に流入するようになる。そのため、円筒体５０内に強力な旋回流が形成され、排水流量が増大する。
【０１２７】
上記実施の形態は本発明の一例であり、本発明は図示以外の態様をもとりうる。
【０１２８】
例えば、第１図〜第４図の排水トラップ１０や第５図及び第６図の排水トラップ１０Ａにおいて、受入室２２の側面（遮断部材２１の内周面）に、上記のガイド板３３ａを設置してもよい。
【図面の簡単な説明】
【０１２９】
【図１】実施の形態に係る排水トラップを備えた浴室の斜視図である。
【図２】実施の形態に係る排水トラップの斜視図である。
【図３】実施の形態に係る排水トラップの断面図である。
【図４】図３のIV−IV線断面図である。
【図５】別の実施の形態に係る排水トラップの断面図である。
【図６】図５のVI−VI線断面図である。
【図７】さらに別の実施の形態に係る排水トラップの縦断面図である。
【図８】図７の排水トラップの斜視図である。
【図９】異なる実施の形態に係る排水トラップの縦断面斜視図である。
【図１０】図９の排水トラップにおいてヘアキャッチャー及び円筒体を取り外した状態を示す縦断面斜視図である。
【図１１】図９のXI−XI線断面図である。
【図１２】別の実施の形態に係る排水トラップの縦断面図である。
【図１３】別の実施の形態に係る排水トラップの縦断面斜視図である。
【図１４】図１３の排水トラップのヘアキャッチャーの斜視図である。
【図１５】図１４のXV−XV線に沿う断面図である。
【図１６】別の実施の形態に係る排水トラップの縦断面斜視図である。
【符号の説明】
【０１３０】
３  浴槽
１０，１０’，１０Ａ，１０Ｂ，１０Ｃ  排水トラップ
１１  流入口
１２  流出口
１７，１７Ａ  ヘアキャッチャー
２０  膨出部
２１  遮蔽部材
２２  受入室
２３  開口
２４  円筒体
２４ａ  脚部
２５  環状水路
２８  円柱体
３０，３０Ａ  排水トラップ
３１  流入口
３２  流出口
３３ａ  ガイド板
３４  受入室
３６  開口
３７  トラップ筒
３８  円筒体
３９  環状水路
４１  流出室
５０  円筒体
６０  連通部材
【図１】
0005446123.tif 000002
【図２】
0005446123.tif 000003
【図３】
0005446123.tif 000004
【図４】
0005446123.tif 000005
【図５】
0005446123.tif 000006
【図６】
0005446123.tif 000007
【図７】
0005446123.tif 000008
【図８】
0005446123.tif 000009
【図９】
0005446123.tif 000010
【図１０】
0005446123.tif 000011
【図１１】
0005446123.tif 000012
【図１２】
0005446123.tif 000013
【図１３】
0005446123.tif 000014
【図１４】
0005446123.tif 000015
【図１５】
0005446123.tif 000016
【図１６】
0005446123.tif 000017